(57)【要約】      （修正有）【課題】２つの運営体制の環境が一つのモニター、マウスおよびキーボードに直ちに転換され、２台のコンピュータの使用により発生する費用が節減され、独立に分離されたネットワークによってセキュリティ上の問題点も解決される、ネットワーク転換端末を提供する。【解決手段】第１ＬＡＮカードに割り当てられた第１運営体制と、第２ＬＡＮカードに割り当てられた第２運営体制と、モニター、キーボードおよびマウスが連結されるＩ／Ｏ装置連結部と、第１運営体制とＩ／Ｏ装置連結部間の第１入出力データを送受信する第１データ受信部および第２運営体制とＩ／Ｏ装置連結部間の第２入出力データを送受信する第２データ受信部を含むスイッチング部と、第１ボタンが作動すると、現在活性化されているデータ受信部は不活性化させ、現在不活性化されているデータ受信部は活性化させる制御部とを含むスイッチング処理部を含む、ネットワーク転換端末。【選択図】図１
2014049132.tif 000002
【特許請求の範囲】
【請求項１】
第１ボタンを含むボタン選択部；
外部ネットワークに連結された第１ＬＡＮカードと、前記外部ネットワークから隔離している内部ネットワークに連結された第２ＬＡＮカードと、前記第１ＬＡＮカードに割り当てられた第１運営体制と、前記第２ＬＡＮカードに割り当てられた第２運営体制と、モニター、キーボードおよびマウスが連結されるＩ／Ｏ装置連結部と、前記第１運営体制および第２運営体制をそれぞれ駆動させる仮想運営体制を動作させる仮想運営体制命令処理部とを含む中央処理部；並びに
前記仮想運営体制命令部との間でデータを送受信する通信部と、第１運営体制とＩ／Ｏ装置連結部間の第１入出力データを送受信する第１データ受信部および第２運営体制とＩ／Ｏ装置連結部間の第２入出力データを送受信する第２データ受信部を含むスイッチング部と、第１データ受信部および第２データ受信部のいずれか一方のみ活性化させ、他方は不活性化させるが、前記第１ボタンが作動すると、現在活性化されているデータ受信部は不活性化させ、現在不活性化されているデータ受信部は活性化させる制御部とを含むスイッチング処理部；を含んでなる、ネットワーク転換端末。
【請求項２】
端末本体のパネルの外側に、コンピュータ運営の際に消耗されている電力が表示される電力使用量表示部をさらに含む、請求項１に記載のネットワーク転換端末。
【請求項３】
前記ボタン選択部は、
ボタンが押されると、前記制御部が、前記通信部を介して前記仮想運営体制命令処理部に第１運営体制を活性または不活性化するように信号を送信する第２ボタンと、
ボタンが押されると、前記制御部が、前記通信部を介して前記仮想運営体制命令処理部に第２運営体制を活性または不活性化するように信号を送信する第３ボタンと、
ボタンが押されると、前記制御部が、前記通信部を介して前記仮想運営体制命令処理部に第１運営体制を復旧するように信号を送信する第４ボタンと、
ボタンが押されると、前記制御部が、前記通信部を介して前記仮想運営体制命令処理部に第２運営体制を復旧するように信号を送信する第５ボタンとを含む、請求項１に記載のネットワーク転換端末。
【請求項４】
前記ボタン選択部は、
前記第１データ受信部と第２データ受信部の各活性化状態および前記第１運営体制と第２運営体制の各活性化状態が表示される状態表示部を含み、
前記状態表示部は、
第１データ受信部が活性化されると点灯する第１点灯部、前記第２データ受信部が活性化されると点灯する第２点灯部、第１運営体制が活性化されると点灯する第３点灯部、および第２運営体制が活性化されると点灯する第４点灯部を含む、請求項１に記載のネットワーク転換端末。
【請求項５】
前記制御部は、
第１データ受信部を活性化させるときに第１点灯部に点灯信号を送り、第１データ受信部を不活性化させるときに第１点灯部に消灯信号を送り、
第２データ受信部を活性化させるときに第２点灯部に点灯信号を送り、第２データ受信部を不活性化させるときに第２点灯部に消灯信号を送り、
仮想運営体制命令処理部から通信部を介して第１運営体制の活性化状態を受信し、受信された第１運営体制の活性化状態に応じて第３点灯部に点灯または消灯信号を送り、
仮想運営体制通信制御部から通信部を介して第２運営体制の活性化状態を受信し、受信された第２運営体制の活性化状態に応じて第４点灯部に点灯または消灯信号を送ることを特徴とする、請求項４に記載のネットワーク転換端末。
【請求項６】
端末本体の内部に設けられた照度感知センサーをさらに含み、
前記制御部は、前記照度感知センサーから一定の照度以上の光が感知されたか否かによって端末本体の開閉状態を判断し、端末本体が開いている状態と判断されると、前記第１運営体制と第２運営体制を不活性化させ、端末本体が閉じている状態と判断されると、前記第１運営体制と第２運営体制を活性化させる信号を前記通信部を介して仮想運営体制命令処理部へ伝送することを特徴とする、請求項１に記載のネットワーク転換端末。
【発明の詳細な説明】
【技術分野】
【０００１】
本発明は、ネットワーク分離して端末内の第１運営体制と第２運営体制およびこれによるモニター画面などのコンピューティング資源を転換し制御することが可能な端末に関する。これは、端末の内部に物理的に２つのＬＡＮカードを取り付けて外部ネットワークと内部ネットワークに分離し、それにより第１運営体制および第２運営体制にそれぞれ割り当ててそれぞれ実現されるようにする端末であって、１台の端末が２台の機能および性能を持つように独立した第１運営体制（ＯＳ）と第２運営体制（ＯＳ）から構成され、第１運営体制および第２運営体制がそれぞれ駆動しながら一つのモニター、キーボードおよびマウスに第１運営体制環境または第２運営体制環境が選択的に割り当てられる。より詳しくは、一つの中央処理部を備えた端末において独立的な外部ネットワークと内部ネットワークに割り当てられた第１運営体制と第２運営体制をそれぞれ運用することができるようにするために、制御部によって制御されるスイッチング部と命令プロトコル送受信のためのＲＳ２３２通信部が備えられたスイッチング処理部を内蔵して中央処理部内の仮想運営体制命令処理部と通信することにより、これにより一つの運営体制から他の運営体制へのネットワーク転換および各運営体制に対する制御が可能であり、キーボード、マウスおよびモニターの選択が可能な端末に関する。
【背景技術】
【０００２】
最近、インターネットのセキュリティが重視される官公署および企業では、セキュリティの強化を理由として、内部セキュリティのための内部ネットワークと外部検索などのための外部ネットワークを区分しようとするネットワーク二重化の必要性が大きく増大し、これを反映した実際構築事例が益々増加してきた。既存のネットワーク分離は概念によって物理的ネットワーク分離と論理的ネットワーク分離に大別される。物理的ネットワーク分離は、物理的に分離された装置およびシステムを介して、各個別ネットワークに該当する端末を独立にそれぞれ使用する方法であり、論理的ネットワーク分離は、論理的なパケットを区分してデータまたはパケットをフィルタリングする論理的な機能ブロックを用いて論理的なデータ自体を分離する方法である。この中でも、クライアントシステムの観点からシステムの種類を細分化すると、大きく２つの類型に分けられる。第一の類型は、一つの端末ケース内に互いに異なる２台の中央処理部が内蔵されたネットワーク分離型端末であり、第二の類型は、ソフトウェアのみで論理的に一つのネットワーク装置を共有してソケットまたはネットワークプロトコルスタック階層でＩＰパケットを論理的に内部ネットワークと外部ネットワークに区分しフィルタリングまたはスイッチングして使用する方式のネットワーク分離型端末である。ところが、既存のネットワーク分離に用いられる物理的ネットワーク分離構築のためのクライアントシステム端末や、互いに異なる２台の中央処理部を内蔵する形のネットワーク分離端末は、一般に、２つずつの装置を全て備えた２台の端末構築費用を必要とし、使用電力も２倍である。しかも、論理的なデータまたはパケット区分によるネットワーク分離端末は、ハッキングの可能性およびセキュリティの脆弱性が存在して構築費用を節減することができるものの、独立した安全なネットワーク分離を提供することはできないという問題点がある。
【０００３】
さらに、物理的なネットワーク分離を建物または電算室の単位で構築する場合、多量のクライアントシステムが重複的に使用されて全体電力使用量が大幅増加するという問題点もある。
【０００４】
本発明は、ネットワーク分離を実現するために、端末においてネットワーク二重化を運営体制（ＯＳ）の水準で区分されるようにする仮想運営体制と連動して制御部によって運営体制を直接転換し制御する装置であって、一つの中央処理部上に取り付けられて使用者に直接ネットワークスイッチング機能を提供する。また、２つのＬＡＮカードをそれぞれの運営体制に割り当てて２つの互いに異なる運営体制環境を分離して反復的に使用できるようにすることにより、運営体制の水準で独立した確実なネットワークセキュリティを保障し、中央処理部間の運営体制の間で信頼度の高い通信プロトコルを介して安定的転換を行い、ユーザーに単一モニター、マウスおよびキーボードを介して便利なユーザー環境を提供する。
【０００５】
また、本発明は、制御部による電力量の管理および表示情報の出力が行われるので、電力管理モニタリング用としても使用可能である。
【０００６】
よって、本発明は、全体的なシステム費用が低減し、より高い運営体制の分離水準でセキュリティの安全性を得ることが可能な効率のよいネットワーク分離が可能なので、安全かつ経済的なネットワーク分離システムの実現が可能である。
【発明の概要】
【発明が解決しようとする課題】
【０００７】
本発明は、上述した問題点を解決するためになされたもので、その目的は、１台の中央処理部を介してネットワーク二重化を実現するために仮想運営体制を制御し、内部ネットワークと外部ネットワークに分離された端末の中央処理部上の第１運営体制および第２運営体制をそれぞれ管理することができ、セキュリティが可能な独立したインターネットネットワークを第１運営体制および第２運営体制の環境にそれぞれ提供しながら選択的に容易に転換して使用することができる、ネットワーク転換端末を提供することにある。
【０００８】
また、本発明の他の目的は、一つのモニター、キーボードおよびマウスを使用するためにパネルにボタン選択部を設けることにより、２つの画面信号、キーボードおよびマウスを完全に独立的に実行されるようにし、ボタンの動作に応じて一つのモニター、キーボードおよびマウスに一つの運営体制環境が提供されるようにする、ネットワーク転換端末を提供することにある。
【０００９】
また、本発明の別の目的は、セキュリティを確認することが可能なｋｅｙ  ｌｏｃｋ機能によって第１運営体制および第２運営体制への接近を不可能とする機能が付いたネットワーク転換端末を提供することにある。
【００１０】
また、本発明の別の目的は、企業および官公署電算室の多量の端末がネットワーク二重化方式で複数割り当てられて構築される場合、電力管理の必要性に応じて各端末毎の電力をモニタリングすることが可能なネットワーク転換端末を提供することにある。
【課題を解決するための手段】
【００１１】
上記目的を達成するために、本発明の特徴によれば、  第１ボタンを含むボタン選択部；外部ネットワークに連結された第１ＬＡＮカードと、前記外部ネットワークから隔離している内部ネットワークに連結された第２ＬＡＮカードと、前記第１ＬＡＮカードに割り当てられた第１運営体制と、前記第２ＬＡＮカードに割り当てられた第２運営体制と、モニター、キーボードおよびマウスが連結されるＩ／Ｏ装置連結部と、前記第１運営体制および第２運営体制をそれぞれ駆動させる仮想運営体制を動作させる仮想運営体制命令処理部とを含む中央処理部；並びに前記仮想運営体制命令部との間でデータを送受信する通信部と、第１運営体制とＩ／Ｏ装置連結部間の入出力データを送受信する第１データ受信部および第２運営体制とＩ／Ｏ装置連結部間の入出力データを送受信する第２データ受信部を含むスイッチング部と、第１データ受信部および第２データ受信部のいずれか一方のみ活性化させ、他方は不活性化させるが、前記第１ボタンが作動すると、現在活性化されているデータ受信部は不活性化させ、現在不活性化されているデータ受信部は活性化させる制御部とを含むスイッチング処理部；を含んでなる、ネットワーク転換端末を提供する。
【００１２】
また、ネットワーク転換端末は、端末本体のパネルの外側に、コンピュータ運営の際に消耗されている電力が表示される電力使用量表示部をさらに含むことを特徴とする。
【００１３】
また、前記ボタン選択部は、ボタンが押されると、前記制御部が、前記通信部を介して前記仮想運営体制命令処理部に第１運営体制を活性または不活性化するように信号を送信する第２ボタンと、ボタンが押されると、前記制御部が、前記通信部を介して前記仮想運営体制命令処理部に第２運営体制を活性または不活性化するように信号を送信する第３ボタンと、ボタンが押されると、前記制御部が、前記通信部を介して前記仮想運営体制命令処理部に第１運営体制を復旧するように信号を送信する第４ボタンと、ボタンが押されると、前記制御部が、前記通信部を介して前記仮想運営体制命令処理部に第２運営体制を復旧するように信号を送信する第５ボタンとを含むことを特徴とする。
【００１４】
また、前記ボタン選択部は、前記第１データ受信部と第２データ受信部の各活性化状態および前記第１運営体制と第２運営体制の各活性化状態が表示される状態表示部を含み、前記状態表示部は、第１データ受信部が活性化されると点灯する第１点灯部、前記第２データ受信部が活性化されると点灯する第２点灯部、第１運営体制が活性化されると点灯する第３点灯部、および第２運営体制が活性化されると点灯する第４点灯部を含むことを特徴とする。
【００１５】
また、前記制御部は、第１データ受信部を活性化させるときに第１点灯部に点灯信号を送り、第１データ受信部を不活性化させるときに第１点灯部に消灯信号を送り、第２データ受信部を活性化させるときに第２点灯部に点灯信号を送り、第２データ受信部を不活性化させるときに第２点灯部に消灯信号を送り、仮想運営体制命令処理部から通信部を介して第１運営体制の活性化状態を受信し、受信された第１運営体制の活性化状態に応じて第３点灯部に点灯または消灯信号を送り、仮想運営体制通信制御部から通信部を介して第２運営体制の活性化状態を受信し、受信された第２運営体制の活性化状態に応じて第４点灯部に点灯または消灯信号を送ることを特徴とする。
【００１６】
また、ネットワーク転換端末は、第１点灯部と第３点灯部が一つの点灯部に表示されるようにする場合、第１運営体制の活性化または不活性化状態に応じて第１点灯部が点灯または消灯するようにし、第２点灯部と第４点灯部が一つの点灯部に表示されるようにする場合、第２運営体制の活性化または不活性化状態に応じて第２点灯部が点灯または消灯するようにすることを特徴とする。
【００１７】
また、端末本体の内部に設けられた照度感知センサーをさらに含み、前記制御部は、前記照度感知センサーから一定の照度以上の光が感知されたか否かによって端末本体の開閉状態を判断し、端末本体が開いている状態と判断されると、前記第１運営体制と第２運営体制を不活性化させ、端末本体が閉じている状態と判断されると、前記第１運営体制と第２運営体制を活性化させる信号を前記通信部を介して仮想運営体制命令処理部に伝送することを特徴とする。
【発明の効果】
【００１８】
上述したような本発明によれば、内部ネットワークと外部ネットワークに分離された中央処理部上の第１運営体制および第２運営体制を管理することができ、セキュリティが可能な独立したインターネットネットワークを第１運営体制および第２運営体制の使用環境にそれぞれ提供しながら選択的に容易に転換することが可能なネットワーク転換端末を提供することができる。
【００１９】
また、本発明によれば、一つのモニター、キーボードおよびマウスを使用するためにパネルにボタン選択部を設けることにより、２つの画面信号、キーボードおよびマウスを完全に独立的に実行されるようにして、選択された運営体制に応じて一つのモニター、キーボードおよびマウスが対応して動作するようにするネットワーク転換端末を提供することができる。
【００２０】
また、本発明によれば、既存のネットワーク分離型端末システムの構築費用より半分近く節約され、消費電力も３０％以上節減されるネットワーク転換端末を提供することができる。
【００２１】
また、本発明によれば、２台の端末を用いて内部ネットワークを介しての業務と外部ネットワークを介しての業務を同時処理及び管理しなければならない領域の業務に容易に活用することができる。
【図面の簡単な説明】
【００２２】
【図１】本発明の好適な実施例に係るネットワーク転換端末の模式図である。
【図２】本発明の好適な実施例に係るネットワーク転換端末のスイッチング処理部とボタン選択部の構成図である。
【図３】本発明の好適な実施例に係るネットワーク転換端末の内部構成の連結状態を示すブロック図である。
【図４】本発明の好適な実施例に係るネットワーク転換端末の論理回路図である。
【発明を実施するための形態】
【００２３】
本発明の利点、特徴、およびそれらを達成する方法は、添付図面と共に詳細に後述されている実施例を参照すると明確になるであろう。
【００２４】
ところが、本発明は、以下に開示される実施例に限定されるものではなく、互いに異なる多様な形態で実現でき、但し、本実施例は本発明の開示を完全たるものにし、本発明の属する技術分野における通常の知識を有する者に発明の範疇を完全に知らせるために提供されるものである。本発明は請求項の範疇によって定義されるべきである。明細書全体にわたって同一の参照符号は同一の構成要素を指す。
【００２５】
以下、本発明の実施例によってネットワーク転換端末１００を説明するための図面を参照して本発明を説明する。
【００２６】
図１は本発明の好適な実施例に係るネットワーク転換端末１００の模式図である。
【００２７】
本発明のネットワーク転換端末は、一つの端末に２つのＬＡＮカードを取り付けて内部ネットワーク３００と外部ネットワーク２００に分離し、第１運営体制１３３と第２運営体制１３４をそれぞれ割り当てて制御することが可能な装置である。
【００２８】
具体的に、本発明は、端末に２つのＬＡＮカードを設置して外部２００と内部ネットワーク３００に分離し、内部ネットワーク３００に第１運営体制１３３を、外部ネットワーク２００に第２運営体制１３４をそれぞれ割り当てて第１運営体制１３３と第２運営体制１３４をそれぞれ駆動させ、第１運営体制１３３と第２運営体制１３４の間でユーザー環境を転換しようとするとき、端末をオン／オフにする動作を行うことなく一度のボタン選択で直ちに運営体制環境が転換されて一つのマウス、キーボードおよびモニターで２つの運営体制の使用を可能とする装置である。
【００２９】
図１を参照すると、本発明の好適な実施例に係るネットワーク転換端末１００は、スイッチング処理部１２０、前記スイッチング処理部１２０とケーブルを介して連結されるボタン選択部１１０、および中央処理部１３０を含んでなる。
【００３０】
中央処理部１３０は、外部ネットワーク２００に連結された第１ＬＡＮカード１３１と、前記外部ネットワーク２００から隔離している内部ネットワーク３００に連結された第２ＬＡＮカード１３２と、前記第１ＬＡＮカード１３１に割り当てられた第１運営体制１３３と、前記第２ＬＡＮカード１３２に割り当てられた第２運営体制１３４と、モニター、キーボードおよびマウスが連結されるＩ／Ｏ装置連結部１３６と、前記第１運営体制１３３と第２運営体制１３４をそれぞれ駆動させる仮想運営体制を動作させる仮想運営体制命令処理部１３７とを含んでなる。この際、仮想運営体制命令処理部１３７は、第１運営体制１３３および第２運営体制１３４をそれぞれ駆動させ、スイッチング処理部の通信部１２６から通信プロトコル命令を受信することが可能な仮想運営体制のソフトウェアとして端末上の中央処理部１３０に存在する。
【００３１】
スイッチング処理部１２０は、前記仮想運営体制命令処理部１３７との間でデータを送受信する通信部１２６と、第１運営体制１３３とＩ／Ｏ装置連結部１３６間の第１入出力データを送受信する第１データ受信部１２４ａ、および第２運営体制１３４とＩ／Ｏ装置連結部１３６間の第２入出力データを送受信する第２データ受信部１２４ｂを含むスイッチング部１２４と、第１データ受信部１２４ａおよび第２データ受信部１２４ｂのいずれか一方のみ活性化させ、他方は不活性化させるが、前記第１ボタン１１１が作動すると、現在活性化されているデータ受信部は不活性化させ、現在不活性化されているデータ受信部は活性化させる制御部１２２とを含む。この際、第１データ受信部は、ビデオ信号とＵＳＢ信号が含まれた第１入出力データを送受信するところであり、第１入出力データは第１運営体制に連結されたモニター、マウスおよびキーボードデータである。これと同様に、第２データ受信部もビデオ信号とＵＳＢ信号が含まれた第２入出力データを送受信するところであり、第２入出力データは第２運営体制に連結されたモニター、マウスおよびキーボードデータである。
【００３２】
また、本発明のスイッチング部１２４は、第１入出力データを送受信する第１データ受信部と、第２入出力データを送受信する第２データ受信部の構成に分離する以外にも、第１運営体制および第２運営体制とＩ／Ｏ装置連結部１３６間のビデオ信号を送受信するビデオ受信部と、第１運営体制および第２運営体制とＩ／Ｏ装置連結部１３６間のマウス、キーボードのＵＳＢ信号を送受信するＵＳＢ受信部の構成に分離することができる。
【００３３】
すなわち、制御部１２２は、第１運営体制１３３と第２運営体制１３４がそれぞれ駆動されるが、第１運営体制１３３に論理的に連結された第１データ受信部１２４ａ、および第２運営体制１３４に論理的に連結された第２データ受信部１２４ｂのいずれか一方のみＩ／Ｏ装置連結部１３６と連結されるように信号を送受信し、或いは第１ボタン１１１の動作に応じてＩ／Ｏ装置連結部１３６に第１データ受信部１２４ａまたは第２データ受信部１２４ｂが連結されるように送受信し、仮想運営体制命令処理部１３７による命令および応答確認を介して制御し、かつスイッチング処理部１２０の全てを制御することが可能な構成である。
【００３４】
また、スイッチング処理部１２０は、ＰＣＩ１２７のカード形態で端末本体のＰＣＩスロットに取り付けられてもよい。
【００３５】
また、本発明は、端末本体の内部に設置された照度感知センサー１５０をさらに含み、この際、制御部１２２は、前記照度感知センサー１５０から一定の照度以上の光が感知されたかどうかによって端末本体の開閉状態を判断し、端末本体が開いている状態と判断されると、前記第１運営体制１３３と第２運営体制１３４を不活性化させ、端末本体が閉じている状態と判断されると、前記第１運営体制１３３と第２運営体制１３４を活性化させる信号を前記通信部１２６を介して仮想運営体制命令処理部１３７へ伝送することにより、第１運営体制１３３と第２運営体制１３４のセキュリティを図る。
【００３６】
また、本発明は、企業および官公署電算室の多量の端末がネットワーク二重化方式で複数割り当てられて構築される場合、電力管理の必要性に応じて各端末毎の電力をモニタリングすることができるように、稼働の際に消耗されている電力が表示される電力使用量表示部１４０が端末本体のパネルに設けられる。この際、中央処理部１３０内で時間がカウントされる信号を中間でインタラプトして計算された電力使用量をＦＮＤ表示装置またはＲＳ２３２通信チャネルへ送り出し、通信部１２６がこれを受信して電力使用量表示部１４０に表示されるようにする。
【００３７】
また、本発明は、セキュリティの目的を達成するために端末を区分することができるように、端末毎の固有キー数値および文字列の連続値を内蔵したＵＳＢタイプのキー値を区分して動作するＫｅｙ  Ｌｏｃｋ機能を提供する。
【００３８】
図２は本発明の好適な実施例に係るネットワーク転換端末のスイッチング処理部とボタン選択部１１０の内部構成図である。
【００３９】
図２を参照すると、スイッチング部１２４は、第１データ受信部１２４ａと第２データ受信部１２４ｂに区分される。第１運営体制１３３と論理的に連結された第１データ受信部１２４ａは、第１運営体制１３３に関連したデータをＩ／Ｏ装置連結部１３６へ送信してモニター画面に第１運営体制１３３の環境が表示され、キーボードとマウスも第１運営体制１３３で入力可能なユーザー環境が提供されるようにする。第２運営体制１３４と論理的に連結された第２データ受信部１２４ｂは、第２運営体制１３４に関連したデータをＩ／Ｏ装置連結部１３６へ送信してモニター、マウスおよびキーボードが第２運営体制１３４のユーザー環境に合わせて動作するようにする。この際、制御部１２２は、第１データ受信部１２４ａおよび第２データ受信部１２４ｂのいずれか一方のみ活性化させ、他方は不活性化させるように制御する。
【００４０】
例えば、ユーザーが第１運営体制１３３の環境から第２運営体制１３４の環境に転換して使用しようとする場合、第１ボタン１１１を押すと、中央処理部１３０を経ず、制御部１２２によって直ちに、現在活性化されている第１データ受信部１２４ａは不活性化され、現在不活性化されている第２データ受信部１２４ｂは活性化されることにより、モニター画面が第１運営体制１３３の環境から第２運営体制１３４の環境に転換され、マウスとキーボードも第２運営体制１３４の環境で使用することができるように同時に転換される。ここで、もう一度さらに第１ボタンを押すと、第１運営体制１３３で作業できるようにユーザー環境が同時に転換される。この際、制御部１２２は通信部１２６を経て仮想運営体制命令処理部１３７によって第１運営体制１３３または第２運営体制１３４を駆動させることができ、かつ、制御部１２２はスイッチング部１２４を制御して第１データ受信部１２４ａおよび第２データ受信部１２４ｂのいずれか一方のみＩ／Ｏ装置連結部１３６からの信号受信を可能とする。
【００４１】
別の例として、ユーザーが第２ボタン１１２を押して第１運営体制１３３をオフにしようとする場合、通信部１２６は第１運営体制１３３をオフにしろという信号を仮想運営体制命令処理部１３７に送信し、命令処理部１３７は、仮想運営体制のライブラリーおよび機能を用いて、制御部の命令に該当する第１運営体制１３３を不活性化させ、同時に第１運営体制１３３に連結された第１データ受信部１２４ａも不活性化させることにより、第１データ受信部１２４ａはＩ／Ｏ装置連結部１３６にデータを送信することができない状態となる。
【００４２】
すなわち、スイッチング部１２４は、ボタン選択部１１０によって物理的に選択されたボタンに応じて第１運営体制１３３から第２運営体制１３４へ、或いは第２運営体制１３４から第１運営体制１３３へユーザー環境が転換されると、それに対応する運営体制環境がモニター画面に出力され、キーボードとマウスはその運営体制環境で使用できるように入力可能となる。
【００４３】
図３は本発明の好適な実施例に係るネットワーク転換端末の内部構成の連結状態を示すブロック図、図４は本発明の好適な実施例に係るネットワーク転換端末の論理回路図である。
【００４４】
図３および図４を参照すると、本発明は、中央処理部１３０に第１ＬＡＮカード１３１と第２ＬＡＮカード１３２を取り付けて内部ネットワーク３００と外部ネットワーク２００に分離し、第１ＬＡＮカード１３１に割り当てられた第１運営体制１３３と第２ＬＡＮカード１３２に割り当てられた第２運営体制１３４をそれぞれ駆動させながら、選択されたボタンに応じてスイッチング処理部の制御部１２２が第１データ受信部１２４ａと第２データ受信部１２４ｂのいずれか一方の信号のみＩ／Ｏ装置連結部１３６に送信して使用者が第１運営体制１３３の環境と第２運営体制１３４の環境を選択的に使用することが可能なネットワーク転換端末１００に関する。
【００４５】
ボタン選択部１１０は端末本体のパネルに複数のボタンと状態区分のためのＬＥＤが設けられるが、前記ボタン選択部１１０には第１ボタン１１１、第２ボタン１１２、第３ボタン１１３、第４ボタン１１４および第５ボタン１１５が設けられ、スイッチング処理部への信号送信の際に遅延なく動作するようにするためにアナログ方式そのままで送信する。
【００４６】
第１ボタン１１１は、第１運営体制１３３の環境から第２運営体制１３４の環境へ転換しようとする場合、或いは第２運営体制１３４の環境から第１運営体制１３３の環境へ転換しようとする場合に用いられる。例えば、ユーザーが第１運営体制１３３の環境から第２運営体制１３４の環境へ転換するために第１ボタン１１１を押すと、スイッチング処理部１２０は、現在活性化されている第１データ受信部１２４ａの信号を遮断し、現在不活性化されている第２データ受信部１２４ｂの信号をＩ／Ｏ装置連結部１３６へ送信して第２運営体制１３４の環境で使用されるモニター、キーボードおよびマウスが動作するようにする。これと同様に、第２運営体制１３４の環境から第１運営体制１３３の環境へ転換しようとする場合にも、同じ経路を介して第１データ受信部１２４ａが活性化されてモニター画面に第１運営体制１３３の環境が表示され、キーボードとマウスも第１運営体制１３３で作動する。
【００４７】
すなわち、第１ボタン１１１を使用すると、外部ネットワーク２００を使用することが可能な第１運営体制１３３、および内部ネットワーク３００を使用することが可能な第２運営体制１３４がそれぞれ駆動される状態で一つのモニター画面に第１運営体制１３３の環境と第２運営体制１３４の環境を交互に映して作業することができ、それに対応するようにマウスとキーボードが直ちに転換されて使用者が不便なくボタンの押圧動作だけで２つの運営体制環境で作業することができる。
【００４８】
第２ボタン１１２は、第１運営体制１３３をオン／オフにする場合に使用する。第２ボタン１１２を押すと、制御部１２２は通信部１２６を介して中央処理部の仮想運営体制命令処理部１３７へ第１運営体制１３３を活性または不活性するようにする信号を送信し、これにより仮想運営体制命令処理部１３５は第１運営体制１３３が実行または終了されるように制御する。また、スイッチング処理部の制御部１２２からの命令は通信部を経て仮想運営体制命令処理部１３７へ送信されて仮想運営体制命令処理部１３７で実行されて運営体制が活性または不活性化される。例えば、第２ボタン１１２を押して第１運営体制１３３をオフにする場合、制御部１２２は通信部１２６を介して仮想運営体制命令処理部１３７へ第１運営体制１３３が不活性状態に転換されるように信号を送信し、仮想運営体制命令処理部１３７は受信された命令に従って命令を行って第１運営体制を終了させる。また、第１運営体制１３３が不活性化状態に転換されることにより、第１データ受信部１２４ａがオフになる。
【００４９】
第３ボタン１１３は、第２運営体制１３４をオン／オフにする場合に使用する。第３ボタン１１３を押すと、前記第２ボタン１１２と同様の経路を経て第２運営体制１３４が活性または不活性状態に転換され、それに対応して第２データ受信部１２４がオン／オフになる。
【００５０】
第４ボタン１１４は、第１運営体制１３３を復旧させるために使用する。第４ボタン１１４を押すと、制御部１２２は通信部１２６を介して仮想運営体制命令処理部１３７へ第１運営体制１３３を復旧しろうという命令信号を送信し、復旧が完了すると、復旧が完了したという信号を仮想運営体制命令処理部１３７を介して通信部１２６へ送信する。
【００５１】
第５ボタン１１５は、第２運営体制１３４を復旧させるために使用する。第５ボタン１１５を押すと、第４ボタン１１４と同様の経路で、制御部１２２は、通信部１２６を介して仮想運営体制命令処理部１３７へ第１運営体制１３３を復旧しろという命令信号を送信し、復旧が完了すると、復旧が完了したという信号を通信部１２６を介して制御部１２２が受信する。
【００５２】
また、ボタン選択部１１０は、第１データ受信部１２４ａと第２データ受信部１２４ｂの各活性化状態及び第１運営体制１３３と第２運営体制１３４の各活性化状態が表示される状態表示部１１８を含む。状態表示部１１８は、第１データ受信部１２４ａが活性化されると点灯する第１点灯部、第２データ受信部１２４ｂが活性化されると点灯する第２点灯部、第１運営体制１３３が活性化されると点灯する第３点灯部、および第２運営体制１３４が活性化されると点灯する第４点灯部を含む。第１点灯部は第１データ受信部１２４ａに連結されて作動し、第２点灯部は第２データ受信部１２４ｂに連結されて作動する。第３点灯部は第１運営体制１３３と論理的に連結されて動作し、第４点灯部は第２運営体制１３４と論理的に連結されて動作する。この際、状態表示部１１８はＬＥＤまたはＶＦＤであって点灯または消灯の表示方法を使用する。
【００５３】
例えば、第１ボタン１１１を押して第１運営体制１３３と第２運営体制１３４のうち第２運営体制１３４がユーザー環境として実行される場合、第２点灯部が点灯し、第１点灯部が消灯する。ここで、第１ボタン１１１をもう一度押すと、第１データ受信部１２４ａがＩ／Ｏ装置連結部１３６へ信号を送信して第１運営体制１３３のユーザー環境が実行され、第１データ受信部１２４ａに連結された第１点灯部が点灯し、第２データ受信部１２４ｂに連結された第２点灯部が消灯する。この際、第１点灯部と第２点灯部は、トグル状態であって、第１ボタン１１１を押すたびに反復的に第１点灯部と第２点灯部が点灯または消灯することにより、ユーザーが直接モニター画面に映して使用する運営体制環境が点灯するのである。すなわち、第１運営体制１３３がモニター画面に映されると、第１点灯部が点灯し、第２点灯部が消灯する。
【００５４】
また、第２ボタン１１２を押して第１運営体制１３３がオフとなるように命令すると、制御部１２２が通信部１２６を介して仮想運営体制命令処理部１３７にオフ信号を送信して第１運営体制１３３が不活性状態に転換され、第１運営体制１３３に連結された第３点灯部は制御部１２２によって消灯し、第１運営体制１３３が不活性状態であることが状態表示部１１８に表示される。同様に、第３ボタン１１３を押して第２運営体制１３４がオンとなるように命令すると、制御部１２２が通信部１２６を介して仮想運営体制命令処理部１３７にオン信号を送信して第２運営体制１３４が活性状態に転換され、第２運営体制１３４に連結された第４点灯部は制御部１２２によって点灯し、第２運営体制１３４が活性状態であることが状態表示部１１８に表示される。この際、第３点灯部は、第１運営体制１３３の活性または不活性状態を示すものであって、第４ボタン１１４によって第１運営体制１３３が復旧される間には不活性化状態なので消灯し、第１運営体制１３３が復旧されたときには点灯する。第４点灯部も、第２運営体制１３４の活性または不活性状態を示すものであって、第５ボタン１１５によって第２運営体制１３４が復旧される間には不活性状態なので消灯し、第２運営体制１３４が復旧されたときには点灯する。これは運営体制が復旧されると、第３点灯部および第４点灯部が点灯するようにすることにより、復旧の完了時点が判断できるためである。
【００５５】
すなわち、本発明は、１台の端末で第１運営体制１３３と第２運営体制１３４をそれぞれ駆動させておき、外部ネットワーク２００に割り当てられた第１運営体制１３３の環境で使用していて第１ボタン１１１を押し、内部ネットワーク３００に割り当てられた第２運営体制１３４の環境で使用する動作を繰り返し行いながら、ネットワークによる個別業務を一つのモニター上で直ちに処理することができ、ネットワークを独立に分離して使用することによりセキュリティの維持に適し、ボタンを介して第１運営体制１３３および第２運営体制１３４を選択的にオン／オフにすることもできるため、非使用の際には使用しない運営体制を別途遮断することにより電力使用を減らすことができて非常に効果的である。
【００５６】
ボタン選択部１１１に設けられたボタン選択によるスイッチング処理部（ＨＢＳＣＢ）１２０の動作例は、次のとおりである。
【００５７】
１．電源印加の初期状態（Ｓｔａｎｂｙ）
（１）ＨＢＳＣＢ  Ｐｏｗｅｒ  ＬＥＤを点灯する。
【００５８】
（２）出力ポートをＲｅｓｅｔする。
【００５９】
（３）ＨＢＳＣＢの第３点灯部および第４点灯部を点灯する。
【００６０】
（４）入力ＳＯＵＲＣＥ  ＵＳＢ１、Ｖｉｄｅｏ１信号を選択する。
【００６１】
（５）ＨＢＳＷの第１点灯部の点灯および第２点灯部の消灯を行う：信号ＳＯＵＲＣＥ１が選択されたことを示す。
【００６２】
２．第１ボタンを押すとき（Ｓｅｌｅｃｔ；ボタン）
（１）入力ＳＯＵＲＣＥ  ＵＳＢ２、Ｖｉｄｅｏ２信号を選択する。
【００６３】
（２）ボタン選択部の第２点灯部の点灯および第１点灯部の消灯を行う；信号ＳＯＵＲＣＥ２が選択されたことを示す。
【００６４】
２−２．第１ボタンを繰り返し押すとき
（１）初期状態１の入力ＳＯＵＲＣＥ１の状態⇔入力ＳＯＵＲＣＥ２の状態をトグル（ｔｏｇｇｌｅ）状態に転換することが繰り返し行われる。
【００６５】
３．第２ボタンを押すとき（ＶＭ１＿ＰＯＷＥＲ  ＯＮ／ＯＦＦ）
（１）ＣＯＭＭＡＮＤ：００１０００１０をＲＳ２３２ポートへ伝送する。
【００６６】
（２）応答（ＲＥＰＬＹ）：１１１０００００を受信待機し確認する。
【００６７】
（３）第１運営体制がＯＮ／ＯＦＦとなる。
【００６８】
（４）第１運営体制のＯＮ／ＯＦＦに応じてボタン選択部の第３点灯部が点灯／消灯する。
【００６９】
（５）ボタンを繰り返し押す場合、ＯＮ／ＯＦＦを繰り返す。
【００７０】
４．第３ボタンを押すとき（ＶＭ２＿ＰＯＷＥＲ  ＯＮ／ＯＦＦ）
（１）ＣＯＭＭＡＮＤ：０１００００１０をＲＳ２３２ポートへ伝送する。
【００７１】
（２）応答（ＲＥＰＬＹ）：１１１０００００を受信待機し確認する
（３）第２運営体制がＯＮ／ＯＦＦとなる。
【００７２】
（４）第２運営体制のＯＮ／ＯＦＦに応じてボタン選択部の第４点灯部が点灯／消灯する。
【００７３】
５．第４ボタンを押すとき（ＶＭ１＿ＲＥＣＯＶＥＲＹ）
（１）ＣＯＭＭＡＮＤ：００１００１００をＲＳ２３２ポートへ伝送する
（２）応答（ＲＥＰＬＹ）：１１１０００００を受信待機し確認する
（３）ボタン選択部の第３点灯部は持続的に点滅する。
【００７４】
（４）応答ＳＴＯＰ  ｂｉｔ（Ｒ×Ｄ）：００１１００００を受信待機し確認する。
【００７５】
（５）機能遂行の確認を済ませた後、ボタン選択部の第３点灯部の点灯状態に転換する。
【００７６】
６．第５ボタンを押すとき（ＶＭ２＿ＲＥＣＯＶＥＲＹ）
（１）ＣＯＭＭＡＮＤ：０１０００１００をＲＳ２３２ポートへ伝送する。
【００７７】
（２）応答（ＲＥＰＬＹ）：１１１０００００を受信待機し確認する。
【００７８】
（３）ボタン選択部の第４点灯部は持続的に点滅する。
【００７９】
（４）応答ＳＴＯＰ  ｂｉｔ（Ｒ×Ｄ）：０１０１００００を受信待機し確認する。
【００８０】
（５）機能遂行の確認を済ませた後、ボタン選択部の第４点灯部の点灯状態に転換する。
【００８１】
本発明の属する技術分野における通常の知識を有する者は、本発明がその技術的思想または必須的な特徴を変更することなく、様々な具体的形態で実施できることを理解することができるであろう。よって、上述した実施例は全ての面で例示的なものに過ぎず、限定的なものでないと理解すべきである。本発明の範囲は前記詳細な説明よりは後述する特許請求の範囲によって定められるべきである。特許請求の範囲の意味および範囲、そしてその均等概念から導出される全ての変更または変形された形態は本発明の範囲に含まれると解釈されるべきである。
【符号の説明】
【００８２】
１００    ネットワーク転換端末
１１０    ボタン選択部
１１１    第１ボタン
１１２    第２ボタン
１１３    第３ボタン
１１４    第４ボタン
１１５    第５ボタン
１１８    状態表示部
１２０    スイッチング処理部
１２２    制御部
１２４    スイッチング部
１２４ａ    第１データ受信部
１２４ｂ    第２データ受信部
１２６    通信部
１２７    ＰＣＩ
１３０    中央処理部
１３１    第１ＬＡＮカード
１３２    第２ＬＡＮカード
１３３    第１運営体制
１３４    第２運営体制
１３５    仮想運営体制
１３６    Ｉ／Ｏ装置連結部
１３７    仮想運営体制命令処理部
１４０    電力使用量表示部
１５０    照度感知センサー
２００    外部ネットワーク
３００    内部ネットワーク
【図１】
2014049132.tif 000003
【図２】
2014049132.tif 000004
【図３】
2014049132.tif 000005
【図４】
2014049132.tif 000006